(57)【要約】  付加製造システムのためのモジュールは、可動支持体に取り外し可能に装着されるように構成されたフレームと、フレームから分離したプラテン上に粒子の層を、又はプラテン上に下層を供給するように構成されたディスペンサと、粒子が溶融解する温度未満の温度まで粒子の層を加熱するように構成された熱源と、粒子を溶融解させるように構成されたエネルギー源とを含む。ディスペンサ、熱源及びエネルギー源が第１の軸に沿って順番にフレーム上に位置付けられ、フレーム、ディスペンサ、熱源及びエネルギー源が、支持体からの単一ユニットとして装着及び装着解除できるように、ディスペンサ、熱源及びエネルギー源がフレームに固定される。【選択図】図４
2018535310.tif 000002
【特許請求の範囲】
【請求項１】
付加製造システムのためのモジュールであって、
可動支持体に取り外し可能に装着されるように構成されたフレームと、
前記フレームから分離したプラテン上に粒子の層を、又は前記プラテン上に下層を供給するように構成されたディスペンサと、
前記粒子が溶融解する温度未満の温度まで前記粒子の層を加熱するように構成された熱源と、
前記粒子を溶融解させるように構成されたエネルギー源と
を備え、
前記ディスペンサ、前記熱源及び前記エネルギー源が第１の軸に沿って順番に前記フレーム上に位置付けられ、前記フレーム、前記ディスペンサ、前記熱源及び前記エネルギー源が、前記支持体からの単一ユニットとして装着及び装着解除できるように、前記ディスペンサ、前記熱源及び前記エネルギー源が前記フレームに固定される、モジュール。
【請求項２】
前記ディスペンサが、前記粒子を保持するためのリザーバ、及び前記リザーバに連結されかつ前記第１の軸と垂直な第２の軸に沿って延びる導管とを備え、前記導管が、前記粒子がそれらを通して分配される連続スロット又は複数の開孔を有する、請求項１に記載のモジュール。
【請求項３】
前記ディスペンサが、複数のノズルを備え、かつ前記ノズルを通してキャリア流体の前記粒子を射出するように構成される、請求項１に記載のモジュール。
【請求項４】
前記熱源が、加熱ランプのアレイを備える、請求項１に記載のモジュール。
【請求項５】
前記エネルギー源が、ビームを生成するように構成され、前記ビームの前記粒子の層での衝突のスポットが、第２の軸に沿って移動可能である、請求項１に記載のモジュール。
【請求項６】
前記エネルギー源が、前記第１の軸に垂直な第２の軸に沿って移動可能であるように、前記フレームにスライド可能に装着され、アセンブリが、前記フレームに固定され、かつ前記第２の軸に沿って前記エネルギー源を移動させるように構成されたモータを備える、請求項５に記載のモジュール。
【請求項７】
前記エネルギー源が、前記第１の軸に垂直な前記第２の軸に沿って前記ビームを偏向するように構成される、請求項５に記載のモジュール。
【請求項８】
前記エネルギー源が、前記第１の軸に垂直な第２の軸に沿って延びるミラーのアレイを含むデジタルマイクロミラーデバイスを備える、請求項１に記載のモジュール。
【請求項９】
前記フレームに固定された計測システムを更に備える、請求項１に記載のモジュール。
【請求項１０】
前記計測システムが、前記第１の軸に沿って順番に前記ディスペンサの前に配置されたセンサ、又は前記第１の軸に沿って順番に前記エネルギー源の後に配置されたセンサを備える、請求項９に記載のモジュール。
【請求項１１】
前記計測システムが、前記第１の軸に沿って順番に前記ディスペンサの前に配置された第１のセンサと、前記第１の軸に沿って順番に前記エネルギー源の後に配置された第２のセンサとを備える、請求項９に記載のモジュール。
【請求項１２】
前記ディスペンサが、前記ディスペンサのエッジを越えて延びる前記第１の軸に垂直な第２の軸上の領域に粒子を分配するように構成される、請求項１に記載のモジュール。
【請求項１３】
前記ディスペンサが、少なくとも前記フレームのエッジまで粒子を分配するように構成される、請求項１２に記載のモジュール。
【請求項１４】
付加製造システムのためのプリントヘッドアセンブリであって、
プリントヘッド支持体と、
前記プリントヘッド支持体に取り外し可能に装着された複数のプリントヘッドモジュールであって、各プリントヘッドモジュールが物理的構成において実質的に同一であり、
前記支持体に取り外し可能に装着されたフレームと、
前記フレームから分離したプラテン上に供給材料の層を、又は前記プラテン上に下層を供給するように構成されたディスペンサと
を各々が含む複数のプリントヘッドモジュールと
を備え、
前記ディスペンサは、前記フレーム及び前記ディスペンサが、前記支持体からの単一ユニットとして装着及び装着解除できるように、前記フレームに固定される、プリントヘッドアセンブリ。
【請求項１５】
製造される物体を支持するためのプラテンであって、上面を有するプラテンと、
前記プラテンに対して前記上面に平行な方向に移動可能であるプリントヘッドアセンブリであって、
プリントヘッド支持体と、
前記プリントヘッド支持体に取り外し可能に装着された複数のプリントヘッドモジュールであって、各プリントヘッドモジュールが物理的構成において実質的に同一であり、各プリントヘッドモジュールが、
前記支持体に取り外し可能に装着されたフレームと、
前記フレームから分離したプラテン上に供給材料の層を、又は前記プラテン上に下層を供給するように構成されたディスペンサであって、前記フレーム及び前記ディスペンサが、前記支持体からの単一ユニットとして装着及び装着解除できるように、前記フレームに固定されるディスペンサと
を各々が含む複数のプリントヘッドモジュールと
を含むプリントヘッドアセンブリと、
前記プリントヘッド支持体及び前記プラテンの少なくとも１つに連結し、それらの間に相対運動をもたらすアクチュエータと、
前記供給材料を溶融解させるように構成されたエネルギー源と
を備える、付加製造システム。
【発明の詳細な説明】
【技術分野】
【０００１】
本発明は、付加製造に関し、より具体的には、粉末の層を分配し、溶融解させ、３次元形状に形成する３Ｄ印刷プロセスに関する。
【背景技術】
【０００２】
固体自由形状製造又は３Ｄ印刷としても知られる付加製造（ＡＭ）は、３次元の物体が、連続する２次元層又は断面によって（一般的に粉末、ワイヤ、液体、懸濁液、又は融解固形物である）原材料から作り上げられる、任意の製造プロセスを指す。それに対して、従来の機械加工技法にはサブトラクティブプロセスが含まれ、木材又は金属の塊といったストック材料から切り出された物体が作り出される。
【０００３】
付加製造には、様々な付加プロセスを用いることができる。様々なプロセスは、完成物を作製するために層を堆積させる方法、及び各プロセスでの使用に互換性がある材料において異なる。例えば、選択的レーザ溶融法（ＳＬＭ）や直接金属レーザ焼結法（ＤＭＬＳ）、選択的レーザ焼結法（ＳＬＳ）、熱溶解積層法（ＦＤＭ）といったいくつかの方法では、層を作り出すために材料を融解または軟化させるが、一方で、例えば光造形法（ＳＬＡ）といった別の技法を用いて、液体材料を硬化させる技法もある。
【０００４】
焼結は、物体を作り出すために、小さなグレイン（又は粒子）、例えば粉末などを溶融解させるプロセスである。焼結は、常に、粉末を加熱することを含む。焼結プロセス中に、粉末状材料が十分な温度（典型的には、融点よりも低い）まで加熱されるとき、粉末粒子中の原子は粒子間の境界を超えて拡散し、粒子同士を融合させ、固体片を形成する。溶融解とは対照的に、焼結で使用される粉末は、液相に達する必要はない。焼結温度が物体の溶融解点に達する必要がないので、焼結は、タングステン及びモリブデンなどの溶融解点が高い材料に使用されることが多い。
【０００５】
焼結及び溶融解の両方が、付加製造で使用できる。使用されている材料によって、どちらのプロセスが発生するかが決定する。例えばアクリロニトリルブタジエンスチレン（ＡＢＳ）といった非晶質固体は、実際には過冷却粘性液体であり、実際には融解しない。なぜならば、融解とは固体状態から液体状態への相転移を伴うからである。このように、選択的レーザ焼結法（ＳＬＳ）がＡＢＳにとっての適切な処理である。一方で、選択的レーザ溶融法（ＳＬＭ）は、例えばナイロンや金属といった、別々の融点／凝固点温度を有し、ＳＬＭプロセスの間に融解が起きる、結晶性材料及び半結晶性材料に対して使用される。
【０００６】
粉末状材料を焼結又は溶融解するためのエネルギー源としてレーザビーム又は電子ビームを用いる従来の粉末分配システムは、典型的には、粉末状材料の層内の選択された点にビームを向け、この層にわたる各箇所に対してビームを選択的にラスタースキャンする。第１の層の選択した場所すべてがいったん焼結又は溶融解すると、粉末を支持するプラットフォームが下に向かって移動し、粉末状材料の新たな層が、完成した層の上部に堆積する。プロセスは、所望の物体が生成されるまで、層ごとに繰り返される。
【発明の概要】
【０００７】
１つの態様において、付加製造システムのためのモジュールは、可動支持体に取り外し可能に装着されるように構成されたフレームと、フレームから分離したプラテン上に粒子の層を、又はプラテン上に下層を供給するように構成されたディスペンサと、粒子が溶融解する温度未満の温度まで粒子の層を加熱するように構成された熱源と、粒子を溶融解させるように構成されたエネルギー源とを含む。ディスペンサ、熱源及びエネルギー源が第１の軸に沿って順番にフレーム上に位置付けられ、フレーム、ディスペンサ、熱源及びエネルギー源が、支持体からの単一ユニットとして装着及び装着解除できるように、ディスペンサ、熱源及びエネルギー源がフレームに固定される。
【０００８】
別の態様では、付加製造システムのためのプリントヘッドアセンブリは、プリントヘッド支持体と、プリントヘッド支持体に取り外し可能に装着された複数のプリントヘッドモジュールとを含む。各プリントヘッドモジュールは、物理的構成において実質的に同一である。各プリントヘッドモジュールは、支持体に取り外し可能に装着されたフレームと、フレームから分離したプラテン上に供給材料の層を、又は前記プラテン上に下層を供給するように構成されたディスペンサとを含む。ディスペンサは、フレーム及びディスペンサが、支持体からの単一ユニットとして装着及び装着解除できるように、フレームに固定される。
【０００９】
別の態様では、付加製造システムは、製造される物体を支持するためのプラテンであって、上面を有するプラテンと、プラテンに対して上面に平行な方向に移動可能であるプリントヘッドアセンブリと、プリントヘッド支持体及びプラテンの少なくとも１つに連結し、それらの間に相対運動をもたらすアクチュエータと、供給材料を溶融解させるように構成されたエネルギー源とを含む。プリントヘッドアセンブリは、プリントヘッド支持体と、プリントヘッド支持体に取り外し可能に装着された複数のプリントヘッドモジュールとを含む。各プリントヘッドモジュールは、物理的構成において実質的に同一である。各プリントヘッドモジュールは、支持体に取り外し可能に装着されたフレームと、フレームから分離したプラテン上に粒子の層を、又は前記プラテン上に下層を供給するように構成されたディスペンサとを含む。ディスペンサは、フレーム及びディスペンサが、支持体からの単一ユニットとして装着及び装着解除できるように、フレームに固定される。
【００１０】
上記態様の何れかの特徴は、以下の一又は複数を含むことができる。ディスペンサは、粒子を保持するためのリザーバと、リザーバに連結され、第１の軸に垂直な第２の軸に沿って延びる導管とを含みうる。導管は、そこを通って粒子が分配される連続スロット又は複数の開孔を有しうる。ディスペンサは、第２の軸に沿って粒子を運ぶための、導管に位置付けられた回転可能なオーガを含みうる。ディスペンサは、複数のノズルを含み、ノズルを通してキャリア流体の粒子を射出するように構成される。ディスペンサは、ディスペンサのエッジを越えて延びる第１の軸に垂直な第２の軸における領域に粒子を分配するように構成されてもよい。ディスペンサは、少なくともフレームのエッジまで粒子を分配するように構成される。ローラ又はブレードは、第２の軸に沿って延び、粒子の層を滑らかにするように構成されてもよい。
【００１１】
熱源は、加熱ランプのアレイを含みうる。加熱ランプは、六角形の最密アレイ（ｈｅｘａｇｏｎａｌ  ｃｌｏｓｅｓｔ  ｐａｃｋｅｄ  ａｒｒａｙ）に配置されうる。加熱ランプは、垂直な長手方向の軸に対して、又は垂直に対してゼロではない角度で長手方向の軸に対して配置されてもうよい。エネルギー源は、ビームを生成するように構成されうる。
【００１２】
エネルギー源は、第１の軸に垂直な第２の軸に沿って移動可能となるようにフレームにスライド可能に装着され、アセンブリは、フレームに固定されかつ第２の軸に沿ってエネルギー源を移動させるように構成されたモータを含み、ビームの粒子層での衝突スポットが第２の軸に沿って移動可能となる。エネルギー源は、第１の軸に垂直な第２の軸に沿ってビームを偏向するように構成されうる。エネルギー源は、レーザ又はイオンビーム源でありうる。エネルギー源は、デジタルマイクロミラーデバイスを含みうる。デジタルマイクロミラーデバイスは、第１の軸に垂直な第２の軸に沿って延びるミラーの線形アレイを含みうる。
【００１３】
第２のディスペンサは、フレームに固定され、第２の粒子の層を支持体又は下層に分配するように構成されうる。第２のディスペンサは、ディスペンサと熱源との間に位置付けられうる。第２の粒子は、粒子と異なるサイズ又は異なる組成を有しうる。
【００１４】
計測システムは、フレームに固定されうる。計測システムは、第１の軸に沿って順番にディスペンサの前又は後に配置されるセンサを含みうる。計測システムは、第１の軸に沿って順番にディスペンサの前に配置された第１のセンサと、第１の軸に沿って順番にエネルギー源の後に配置された第２のセンサとを含みうる。計測システムは、熱イメージャ又は光学カメラを含みうる。
【００１５】
上記の利点は、以下のものを含みうるが、これらに限定されない。付加製造システムの構成要素は、ユニットとして設置及び除去されてもよく、構築及び修理がより容易に可能となる。例えば、プリントヘッドは、「プラグ及びプレイ」モジュールとして動作可能でありうる。標準化されたプリントヘッド構成により、製造される物体のサイズを収容するために、付加製造システムの拡大縮小が可能となりうる。付加製造プロセスのスループット、ビルドベッドサイズ（ｂｕｉｌｄ  ｂｅｄ  ｓｉｚｅ）、解像度及び／又は品質が改善されうる。
【図面の簡単な説明】
【００１６】
【図１Ａ】例示的付加製造システムの概略図を示す。
【図１Ｂ】例示的付加製造システムの概略図を示す。
【図２】図１Ａに示す付加製造システムの上面図である。
【図３】プリントヘッドモジュールの側面図を示す。
【図４】プリントヘッドモジュールの上面図を示す。
【図５】供給材料ディスペンサの斜視図を示す。
【図６】加熱ランプアレイを示す。
【図７】例示的付加製造システムの概略図を示す。
【発明を実施するための形態】
【００１７】
付加製造システムは、供給材料の層（例えば、粉末、液体、懸濁液、溶融固体）をプラテン上に堆積させ、次いで供給材料の層の部分を溶融解させる。一又は複数の供給材料ディスペンサは、供給材料の層を堆積させるために一又は複数の供給材料を供給することができ、幾つかの実施態様では、供給材料は、一又は複数の供給材料ディスペンサによって選択的に堆積させることができる。供給材料がプラテン上に分配された後に、スプレッダ、例えば、ローラ又はブレードは、所望であれば、より高い均一性又は圧縮まで、供給材料をプラテン全域に拡散させることができる。供給材料の層の所望の部分の溶融解は、一又は複数のエネルギー源からエネルギーを供給することによって、実現することができる。エネルギー源は、例えば一度に単一のボクセルなどのスポットに、又は、例えば同時に複数のボクセル全体などのエリア全域に、エネルギーを適用することができる。例えば、エネルギー源は、加熱ランプの一又は複数のレーザ及び／又はアレイを含むことができる。加熱ランプのアレイは、プラテン若しくは付加製造装置のチャンバ内のどこか別の場所の上又は下に位置することができる。エネルギー源からのエネルギーは、供給材料を加熱し、融合させ、固体片を形成させる。付加製造システムはまた、付加製造プロセスの種々のパラメータ、例えば、熱／温度均一性、表面粗さ又は均一性、表面の画像、及び／又は堆積した供給材料の応力などを測定する一又は複数の計測システムを含むことができる。
【００１８】
種々のプリントヘッド構成要素、例えば、供給材料ディスペンサ、熱源及びエネルギー源を含む標準化されたプリントヘッドモジュールを有することが望ましい。本文脈における「標準化された」とは、各プリントヘッドモジュールが、物理的構成において実質的に同一であることを示す（ディスペンサの間で変わるシリアル番号又はファームウェアバージョンなどのソフトウェアの例外は存在する可能性がある）。標準化されたプリントヘッドモジュールは、付加製造システの構築及び修理を簡単にし、例えば、プリントヘッドモジュールは、任意の互換性のある付加製造システムで動作可能となるであろう「プラグ及びプレイ」モジュールとして動作可能でありうる。プリントヘッドモジュールの標準化された構成はまた、製造される物体のサイズを収容するために、付加製造システムの拡大縮小を可能にすることができる。
【００１９】
付加製造プロセスのスループット及びビルドベッドサイズを改良することが望ましい。これは、複数のプリントヘッドモジュールを使用して付加製造プロセスを実行することによって、実現できる。
【００２０】
プリントヘッドモジュールは、プリントヘッドアセンブリを形成するために、支持体に取り外し可能に装着することができる。プリントヘッドアセンブリは、プリントヘッドモジュールを互いに対して移動可能にする、例えばアクチュエータなどの機構を含むことができる。加えて、プリントヘッドモジュールは、プリントヘッドモジュール内の構成要素を互いに対して移動可能にする、例えばアクチュエータなどの機構を含むことができる。
【００２１】
プリントヘッドアセンブリはまた、「グローバル」印刷構成要素、例えば、プリントヘッドモジュールに加え、供給材料ディスペンサ、分散機構、計測システム及び冷却剤ディスペンサなどを含むことができる。本文脈では、「グローバル」とは、構成要素が、プリントヘッド内に固定されるというよりはむしろ、プリントヘッド支持体に直接装着され、複数のプリントヘッドによって分散された供給材料の層の領域に作用する又はその領域を測定するように構成されることを意味する。
【００２２】
更に、プリントヘッドシステムは、プラテンに対してそれを移動できるようにする機構（例えば、ロボットアーム、カンチレバー又はガントリー）に装着する又は取り付けることができる。
【００２３】
図１Ａは、例示的付加製造システム１００の概略図を示す。システム１００は、ハウジング１０２を含み、かつハウジング１０２に囲まれている。ハウジング１０２は、例えば、約１Ｔｏｒｒ以下の圧力などで、真空環境がハウジング内部のチャンバ１０１に維持できるようにすることができる。代替的には、チャンバ１０１の内部は、例えば、粒子を除去するためにフィルタリングされたガスなどの所望のガス環境下で維持されうるか、又はチャンバを大気に通気することができる。ガスは、ガス源（図示されず）からガス入口１０３を通ってチャンバ１０１に侵入することができる。チャンバからのガスは、ベント（又は出口）１０４を通して除去することができる。
【００２４】
システム１００は、供給材料の層を受ける又は支持するプラテン１０５を含む。プラテン１０５は、例えば、抵抗ヒータ又は下方ランプアレイなどのヒータ１０９を含むことができ又はヒータ１０９上方に載置することができ、ヒータ１０９により、プラテン１０５を加熱することができ、よってプラテン１０５上に堆積させた供給材料を加熱することができる。
【００２５】
付加製造プロセスを実行するプリントヘッドアセンブリは、プラテン１０５上に位置付けられる。プリントヘッドアセンブリは、一又は複数のプリントヘッドモジュールを運ぶように構成されたプリントヘッド支持体を含む。
【００２６】
各プリントヘッドモジュールは、支持体に取り外し可能に装着されている。この文脈における「取り外し可能に装着された」とは、プリントヘッドが支持体に対して固定位置に機械的に保持されるが、プリントヘッドモジュール又はプリントヘッド支持体に損傷を与えることなく、標準手持ち構築ツール、例えばレンチ又は電動ドライバなどを使用することによって、プリントヘッドモジュールを取り外すことができるように、プリントヘッドを設置できることを意味する。例えば、プリントヘッドモジュールのフレームは、支持体の表面に係合する突起部を有することができるだろう。例えば、プリントヘッドモジュールから水平に突出するフランジは、プリントヘッドモジュールを取り囲む支持体の一部のリムに載置することができるだろう。オペレータがプリントヘッドを除去したいときには、プリントヘッドは簡単に取り出される。代替的に又は加えて、プリントヘッドモジュールのフレームは、ナット及びボルトなどの機械的締め具によって、支持体に固定することができる。オペレータがプリントヘッドを除去したいときには、ボルトが緩められ、プリントヘッドが取り出される。
【００２７】
図１Ａの例において、プリントヘッド支持体は、一又は複数のプリントヘッドモジュール２１０（図２を参照）を運ぶように構成されているプリントヘッドプラットフォーム１５０によって提供される。各プリントヘッドモジュール２１０は、プラットフォーム１５０に取り外し可能に装着されている。プリントヘッドプラットフォーム１５０は、ガントリー１３０の一部によって支持することができ、ガントリーの一部を形成することができる。アクチュエータシステム１５２により、プリントヘッドプラットフォーム１５０は、プラテン１０５全域を（例えば、ｙ軸に沿って）移動可能となる。プラットフォーム１５０及びプラテン１０５は、互いから分離し、どちらも他方を支持しない。例えば、プラットフォーム１５０は、プラテン１０５に装着されない。
【００２８】
コントローラ１９０は、付加製造プロセスの種々の態様を制御する。例えば、コントローラ１９０は、アクチュエータシステム１５２を制御し、よってプリントヘッドプラットフォーム１５０の運動を制御する。コントローラ１９０はまた、プリントヘッドプラットフォーム１５０に含まれるプリントヘッドモジュール（図示されず）の相対運動及び動作も制御することができる。コントローラはまた、プリントヘッドプラットフォーム１５０に含まれる種々の「グローバル（ｇｌｏｂａｌ）」印刷構成要素の動作も制御することができる。
【００２９】
図１Ｂにおいて、プリントヘッドプラットフォーム１５０は、プラテン１０５上方でプリントヘッドプラットフォーム１５０を移動させることができるロボット１３２のロボットアーム１３１に取り付けられる。また、各プリントヘッドモジュール２１０（図２を参照）は、プラットフォーム１５０に取り外し可能に装着される。ロボットアーム１３１の運動は、コントローラ１９０によって制御される。
【００３０】
プリントヘッドプラットフォーム１５０は、プリントヘッドモジュール２１０が嵌合する開孔を有する一般的な長方形プレートとすることができる。図１Ａ及び図１Ｂの両方が一般的に水平なプレートであるプラットフォームを示しているが、支持体は、他の形状を有することでき、例えば、支持体は、モジュールが固定されるフレーム又は垂直プレートとすることができる。構成要素のプリントヘッドプラットフォームへの取り付けの検討は、構成要素のプリントヘッド支持体への取り付けに適用できると理解すべきである。
【００３１】
図２は、図１Ａに示す例示的付加製造システムの上面図である。プリントヘッドプラットフォーム１５０は、ガントリー１３０のレール１３０ａ及び１３０ｂに装着される。例えばアクチュエータなどにより、ガントリー１３０のレール１３０ａ及び１３０ｂ上をスライドすることにより、プリントヘッドプラットフォーム１５０は、プラテン１０５全域を（ｙ軸に沿って）横断することができる。
【００３２】
プリントヘッドプラットフォーム１５０は、一又は複数のプリントヘッドモジュール２１０を含む。上記のように、各プリントヘッドモジュール２１０は、プラットフォーム１５０に取り外し可能に装着される。
【００３３】
加えて、プリントヘッド２１０及びプリントヘッド中の構成要素、例えば、ディスペンサ、熱源  及びエネルギー源は、それらがプラットフォーム１５０からの単一ユニットとして装着及び装着解除できるように構成される。これにより、付加製造システム１００の構築及び修理が容易に可能となる。
【００３４】
図２に示すように、プリントヘッドモジュール２１０は、プラテン１０５の幅全体に及ぶよう千鳥状に（ｉｎ  ａ  ｓｔａｇｇｅｒｅｄ  ｆａｓｈｉｏｎ）配置される。これにより、プラテン１０５上をプラットフォーム１５０が１回通過するだけで（ｗｉｔｈ  ａ  ｓｉｎｇｌｅ  ｐａｓｓ）対象物の層が製造可能となる。プリントヘッドモジュール２１０は、プラテンに堆積した供給材料の長方形片において付加製造プロセス  を実行する。
【００３５】
プラットフォーム１５０はまた、グローバル印刷構成要素２２０及び２２２を支持することもできる。これらのグローバル印刷構成要素は、プリントヘッドモジュール２１０のフレームというよりはむしろ、プラットフォーム１５０に直接装着される。印刷構成要素２２０は、堆積した供給材料を分配し滑らかにすることができるグローバルディスペンサとすることができる。印刷構成要素２２０及び／又は２２２は、付加製造プロセスと関連する種々のパラメータを測定することができるグローバル計測システムとすることができる。グローバル計測システムは、センサ、熱イメージャ又は光学カメラのうちの一又は複数を備えることができる。
【００３６】
１つの実施態様において、システム１５０がプラテン１０５全域を左から右へ（＋ｙ方向に沿って）移動する際に、第１のグローバル計測システム２２０は、システムの前方エッジを形成し、順次、プリントヘッドモジュール２１０、最後に第２のグローバル計測システム２２２を続けて形成する。システム１５０の前方エッジにおけるグローバル計測システム２２０は、したがって、例えば、層が堆積することになるプラテン又は下層のような、表面の温度及び／又は垂直位置などの種々のパラメータを測定することができる。このデータは、プリントヘッドモジュール２１０の動作を制御するためにコントローラ１９０に供給することができる。例えば、供給材料ディスペンサが制御可能である場合、表面の高さの測定は、分配する材料の量を決定し、層の厚さの均一性を改善するために、コントローラによって使用することができる。同様に、層の温度に関するデータは、溶融解する部分が均一の温度まで上昇するように、熱源及び／又はエネルギー源に供給される電力を制御するために使用することができる。システム１５０の後方エッジにおけるグローバル計測システム２２２は、付加製造プロセスと関連した種々のパラメータ、例えば、溶／融解した供給材料の温度及び／又は表面粗さなど、を測定することができる。また、このデータは、例えばフィードバックループ内で、プリントヘッドモジュール２１０の動作を制御し、改良された均一性を提供するためにコントローラ１９０に供給することができる。
【００３７】
幾つかの実施態様では、計測システムの各セグメントが、一又は複数のプリントヘッドモジュールによって溶融解した供給材料の測定実行に関与するように、グローバル計測システム２２２は、ｘ方向に沿って幾つかのセグメントに分割することができる。
【００３８】
幾つかの実施態様では、付加製造プロセスは、一方向的なもの、即ち、付加製造プロセスは、システム１５０が左から右へ又は右から左へ移動しているときだけ生じる、とすることができる。別の例では、付加製造プロセスは、双方向的なもの、即ち、付加製造プロセスは、システム１５０が左から右へ及び右から左への両方で移動しているときに生じる、とすることができる。グローバル印刷構成要素２２０及び２２２は、類似であっても（双方向印刷用）、又は異なっていても（一方向印刷用）よい。
【００３９】
図３は、プリントヘッドモジュール２１０による付加製造プロセスの概略図である。付加製造システム１００は、プラテン１０５上を（例えば、ｙ方向に沿って）移動し、付加製造プロセスを実行することができるプリントヘッドモジュール２１０を含む。プリントヘッドモジュールの種々のプリントヘッド構成要素が、付加製造プロセスの方向に沿って（例えば、＋ｙ方向に沿って）配置される。加えて、いくつかの実施態様では、プリントヘッド構成要素は、プリントヘッドモジュールのフレームに対して（例えば、アクチュエータ又はモータによって）移動することができる。以下では、プリントヘッドモジュール２１０下の堆積した供給材料の所与の片で付加製造プロセスを実行する順番で、プリントヘッド構成要素が説明されることになる。
【００４０】
プリントヘッドモジュールは、第１の供給材料３１４を堆積させる第１のディスペンサ３０４（プリントヘッドモジュール２１０の前方エッジにある）を含む。第１のスプレッダ又は平坦化／平滑化アーム３４０（例えば、ローラ又はブレード（若しくはナイフの刃））は、ディスペンサ３０４に追従し、プラテン１０５全域で均等に堆積した供給材料を分散させ／平滑化する。
【００４１】
オプションの第２のディスペンサ３０５は、第２の供給材料３１２を堆積させるために、第１の分散機構３４０に追従することができる。供給材料３１２及び３１４は、異なるサイズ、形状とすることができ、及び／又は異なる溶融温度を有することができる。例えば、第２の供給材料３１２は、第１の供給材料３１４より小さいくすることができ、したがって、供給材料３１４の粒子間の介在空間を充填しうる。別の例では、第２の供給材料３１２は、処理温度まで加熱されると、供給材料３１４とは異なる反応を示す合金添加剤又はバインダー材とすることができる。例えば、供給材料３１２及び３１４は、異なる焼結／溶融温度を有することができる。第２の供給材料ディスペンサ３０５は、堆積した供給材料３１２又は事前に平坦化された供給材料３１４を分散させる／平滑化する、オプションの第２のスプレッダ又は平坦化／平滑化アーム３４１（例えば、ローラ又はブレード（若しくはナイフの刃））によって追従される。
【００４２】
供給材料は、粉末とすることができる。例えば、供給材料は、鋼、アルミニウム、コバルト、クロム、及びチタンなどの金属、合金混合物、セラミック、複合体、又は生砂などから成る粒子の粉末とすることができる。
【００４３】
オプションの計測システム３５２は、分散機構３４１に追従することができ、プロファイルメータ、熱イメージャ又は光学カメラのうちの一又は複数を備えることができる。オプションの計測システム３５２は、例えば、堆積した供給材料の表面粗さを測定することができる。溶／融解前に堆積した供給材料の粗さを知ることで、供給材料は、製造プロセスを制御することによって付加製造プロセスの質を高めることに役立つ可能性がある。
【００４４】
次に、熱源３３４が、堆積した供給材料の温度を上昇させる。図３に記載の実施形態において、熱源３３４は、加熱ランプアレイである。加熱ランプアレイ３３４は、その焼結温度又は溶融温度未満の温度まで、堆積した供給材料３１２（及び存在する場合は３１４）を加熱することができる。
【００４５】
熱源３３４の後に、エネルギー源３６０が、例えば、温度をその焼結温度又は溶融温度を上回るまで上昇させる（次いで、その部分の冷却を許容する）ことによって、層の選択された部分を溶融解することになる。例えば、エネルギー源３６０は、ビーム３７５を放射することができる。ビーム３７５は、例えば、レーザによって生成されるレーザビーム、イオン源によって生成されるイオンビーム、又は電子ガンによって生成される電子ビームとすることができる。ビーム３７５は、堆積した供給材料の一方又は両方の温度を、それらのそれぞれの焼結点又は溶融解点付近又はそれらを上回るまで、上昇させることができる。
【００４６】
更に、エネルギー源３６０は、堆積した供給材料の所望の領域を選択的に溶融解させるために、選択的に作動させることができる。例えば、エネルギー源３６０は、プラテンのある部分に衝突するビーム３７５を放射することができ、これにより、その部分に堆積した供給材料の一方又は両方が溶融解する。エネルギー源３６０の選択的な作動に併せて、プリントヘッドモジュールフレームに対してエネルギー源３６０を移動させることによって、又は供給材料の上でビーム３７５を移動させることによって、又はその両方によって、エネルギー源３６０による供給材料のある部分の選択的加熱を実現することができる。
【００４７】
例えば、エネルギー源３６０は、コントローラ１９０（図１Ａを参照）により制御されるモータ又はアクチュエータによって、プリントヘッドモジュールの動き（例えば、ｙ軸）に垂直な方向（例えば、ｘ軸）に沿って移動することができる。別の例では、エネルギー源３６０は、プリントヘッドモジュールフレームに対して移動しなくてもよい。しかしながら、エネルギー源３６０は、プリントヘッドモジュールの運動方向に垂直な方向に沿ってビーム３７５を偏向することができる機構、例えば、ガルボ（ｇａｌｖｏ）又は圧電マイクロミラーデバイスに装着されるミラーなどを含みうる。マイクロミラーデバイスは、プリントヘッドモジュールの運動方向に垂直な方向に沿って配置されるミラーの線形アレイを含みうる。上記すべての場合において、供給材料に対するビーム３７５の衝突位置が変化する。
【００４８】
異なる溶融温度又は焼結温度を有する２つの供給材料が使用される場合、エネルギー源３６０は、プリントヘッドモジュール２１０下の層の全部分を、第１の供給材料の溶融温度又は焼結温度と、第２の供給材料の溶融温度又は焼結温度との間の温度まで上昇させることができる。したがって、ただ１つの供給材料だけが溶融解することになる。これにより、エネルギー源３６０による選択的溶融解の必要性が除外される。
【００４９】
オプションの第２の計測システム３５０は、エネルギー源３６０に追従する。第２の計測システム３５０は、例えば、溶融解した供給材料の特性（温度、表面粗さなど）を測定することができる。これは、処理パラメータを調節し、付加製造プロセスの質を向上させるために、コントローラによって使用することができる。
【００５０】
図４は、プラテン（図示されず）上のｘ−ｙ平面に置かれたプリントヘッドモジュール４００の実施形態の上面図を示す。モジュールがプラテン上を（＋ｙ方向に沿って）左から右へ移動するように構成されるので、モジュールの右端部が前方エッジであり、左端部が後方エッジである。モジュール４００は、複数のプリントヘッド構成要素を含む。例えば、プリントヘッド構成要素は、前方エッジから後方エッジ、計測システム３５２、第１のディスペンサ３０４、第１の分散機構３４０（例えば、ローラ又はブレード）、第２のディスペンサ３０５、第２の分散機構３４１（例えば、ローラ又はブレード）、第１のエネルギー源３３４（例えば、加熱ランプ）、第２のエネルギー源３６０（例えば、レーザシステム）及び計測システム３５０の順で含んでいる。
【００５１】
図５は、図３及び図４に記載の供給材料ディスペンサ３０４の概略図である。ディスペンサ３０４は、付加製造プロセス中にプリントヘッドモジュールが移動する（ｘ方向に沿って）方向に実質的に垂直であるプラテンの幅にわたって延びる（ｘ軸に沿って）導管５０５（例えば、中空シリンダ）を備える。導管５０５は、供給材料３１４を貯蔵するホッパー５２０に連結される。導管５０５は、空洞５１０及びオーガ５４０を取り囲む。オーガ５４０は、材料ディスペンサ３０４に回転可能に装着され、モータは、例えば、駆動シャフトによって、オーガ５４０を回転させることができる。
【００５２】
オーガ５４０は、回転する際に、ホッパー５２０から供給材料３１４を引き出す。導管５０５は、供給材料３１４をプラテン上に分配することができる、その長さに沿って（ｘ方向に沿って）配置された複数の開口５４５を有することができる。開口５４５を通した供給材料３１４の流量は、コントローラ１９０（図示されず）により制御することができるアクチュエータ５５０によって調整することができる。供給材料３１４の流量はまた、オーガ５４０の回転速度を変化させることによって、制御することができる。例えば、オーガ５４０の回転速度を増加させることで、供給材料が分配される速度を増加させることができ、逆もまた同じである。他の例では、導管５０５は、導管の長さに沿って（ｘ軸に沿って）、連続スロットを有することができる。
【００５３】
ディスペンサ３０４は、モジュール２１０のエッジを越えて、供給材料を分配するように構成することができる。例えば、供給材料が、ｘ方向のディスペンサの範囲を超えて存在するプラテンの一部に分配されるように、ディスペンサは、ノズルを通して流体キャリアの供給材料を射出する射出器を含み、ノズルは、プラテン表面に対してある角度で位置付けることができるだろう。この特徴は、ディスペンサ３０４直下にないプラテンの領域で供給材料を堆積させるために役立つ可能性がある。これにより、例えば、プリントヘッドプラットフォームの２つの隣接するプリントヘッドモジュールの間に間隙が存在する場合、供給材料は、間隙下に存在するプラテンの一部に確実に堆積することになる。また、これにより、供給材料を、プリントヘッドモジュール直下にないプラテンの一部に、例えば、プラテンのエッジに近接した領域に、確実に堆積させることができる。
【００５４】
代替的には又は加えて、ディスペンサ３０４は、プリントヘッドモジュールの中心でよりプリントヘッドモジュール２１０のエッジで（ｘ方向に沿って）、より多くの供給材料を供給するように構成することができる。例えば、導管５０５の２つの端部における（ｘ方向に沿った）孔は、導管５０５の中心の孔より大きいとすることができる（又はより近接した間隔で配置することができる）。スプレッダ、例えば、ブレード又はローラ、スプレッダ３４０などは、次いで、余分な供給材料を、プリントヘッドプラットフォームの２つの隣接したプリントヘッドモジュール２１０の間の間隙内に拡散させるために使用することができる。
【００５５】
図６は、エネルギー源、例えば、図３及び図４のエネルギー源３３４として、プリントヘッドモジュールに含むことができる。加熱ランプアレイ６００は、アレイ、例えば、六角形の最密アレイ（ｈｅｘａｇｏｎａｌ  ｃｌｏｓｅｓｔ  ｐａｃｋｅｄ  ａｒｒａｙ）に配置される複数の加熱ランプ６３４を備える。各加熱ランプ６３４は、一又は複数のピン６３６を通って電源に接続させることができる。
【００５６】
各加熱ランプ６３４に供給されるエネルギーは、コントローラ（例えば、図１のコントローラ１９０）によって制御することができる。加熱ランプの各々に供給されるエネルギーを変化させることによって、加熱ランプにより放出されるエネルギーを変化させることができる。したがって、加熱ランプアレイにより生成されるエネルギーの空間的分布を、コントローラによって制御することができる。その結果、加熱ランプアレイ６００からエネルギーを受けるプラテンに堆積する供給材料の一部は、温度分布を有することができる。要するに、加熱ランプアレイ６００は、堆積した供給材料の前述の一部の温度分布の制御を提供することができる。
【００５７】
図６において、加熱ランプアレイ６００は、ｚ軸に沿って配置され、したがって、プラテン（ｘ−ｙ平面にある）上の供給材料に垂直である。しかしながら、加熱ランプアレイ６００はまた、プラテンに対して他の角度で配置することもできる。例えば、ランプは、供給材料が分配される点により接近して加熱される領域を移動させるために、ｙ−ｚ平面において角度を有することができよう。別の例として、アレイのエッジにおける（ｘ軸に沿った）ランプは、プリントヘッドプラットフォームの２つの隣接するプリントヘッドモジュールの間の間隙内の任意の供給材料に熱を供給するために、外に向かって（ｘ−ｚ平面に）角度を有することができよう。
【００５８】
図７は、例示的付加製造システム７００の例の上面図を示す。図２で説明したように、システム７００は、ハウジング１０２を含み、それによって囲まれている。ハウジング１０２は、例えば、真空環境が、ハウジング内部のチャンバ１０１で維持できるようにすることができる。代替的には、チャンバ１０１の内部は、例えば、粒子を除去するためにフィルタリングされたガスなどの実質的に純粋なガスとすることができ、又はチャンバを大気に通気することができる。ガスは、ガス源（図示されず）からガス入口１０３を通ってチャンバ１０１に侵入することができる。チャンバからのガスは、真空ベント１０４を通して除去することができる。
【００５９】
プリントヘッドプラットフォーム７５０は、ガントリー１３０のレール１３０ａ及び１３０ｂに装着される。ガントリー１３０のレール１３０ａ及び１３０ｂの上をスライドすることによって、プリントヘッドプラットフォーム７５０は、プラテン１０５全域を（ｙ方向に沿って）横断することができる。プラットフォーム７５０は、例えば、図２、図３又は図４に記載されたプリントヘッドモジュールでありうる、プリントヘッドモジュール７１０を支持する。プリントヘッドモジュール７１０は、トラック７３０に装着され、アクチュエータ７２０によって、トラックに沿ってｘ方向に移動することができる。アクチュエータ、更にはシステム７５０のモジュール７１０の位置は、コントローラ１９０によって制御することができる。
【００６０】
付加製造システム７００において、プリントヘッドプラットフォーム７５０は、プラテンの長さ（ｙ軸）に沿って漸次的に移動する。プリントヘッドプラットフォーム７５０の各漸次的動きについて、プリントヘッドモジュール７１０は、プラテンの一端からもう一端へ、その幅に沿って（ｘ方向に沿って）移動する。プリントヘッドプラットフォーム７５０の動き（ｙ方向に沿った）をプリントヘッドモジュールの動き（ｘ方向に沿った）と結合することによって、付加製造プロセスをプラテン全体にわたって実行できるようになる。
【００６１】
金属及びセラミックの付加製造の処理条件は、プラスチック用の処理条件とは著しく異なる。例えば、金属とセラミックは概して、著しくより高い処理温度を必要とする。したがって、プラスチック用の３Ｄ印刷の技法は、金属又はセラミックの処理には適用できない可能性があり、装置も均等ではない可能性がある。しかしながら、本明細書に記載の幾つかの技法は、ポリマー粉末、例えば、ナイロン、ＡＢＳ、ポリエーテルエーテルケトン（ＰＥＥＫ）、ポリエーテルケトンケトン（ＰＥＫＫ）及びポリスチレンなどに適用可能であろう。
【００６２】
コントローラ１９０及び本明細書に記載のシステムの他の計算デバイス部分は、デジタル電子回路で、又はコンピュータソフトウェア、ファームウェア、若しくはハードウェアに実装することができる。例えばコントローラは、例えば持続性マシン可読ストレージ媒体といった、コンピュータプログラム製品内に記憶されたコンピュータプログラムを実行する、プロセッサを含むことができる。こうしたコンピュータプログラム（プログラム、ソフトウェア、ソフトウェアアプリケーション又はコードとしても知られている）は、コンパイル又は翻訳された言語を含むプログラミング言語の任意の形で書くことができ、また独立型プログラムとして、又はモジュール、構成要素、サブルーチン、若しくは計算環境で使用するのに適している他のユニットとして配置することを含め、任意の形で配置することができる。
【００６３】
コントローラ１９０及び記載のシステムの他の計算デバイス部分は、各層に供給材料を堆積させるべきパターンを指定する、例えばコンピュータ支援設計（ＣＡＤ）互換性のファイルといったデータオブジェクトを記憶するための持続性コンピュータ可読媒体を含むことができる。例えば、このデータオブジェクトは、ＳＴＬ形式のファイル、３Ｄマニュファクチャリングフォーマット（３ＭＦ）ファイル、又は付加製造ファイルフォーマット（ＡＭＦ）ファイルとすることができよう。例えば、コントローラは、遠隔コンピュータからデータオブジェクトを受信することができよう。コントローラ１９０内のプロセッサは、例えばファームウェア又はソフトウェアによって制御される際に、装置１００の構成要素を制御して各層に指定されたパターンを溶融解するのに必要な信号のセットを生成するため、コンピュータから受信したデータオブジェクトを解釈することができる。
【００６４】
幾つかの実施態様が記載されてきた。だが、種々の修正が行われることがあると理解されるだろう。例えば、
・モジュールは、ヒータを含む必要がない。ヒータは、グローバル構成要素とすることができ、又はチャンバの壁に装着することができる。
・モジュールは、エネルギー源を含む必要がない。エネルギー源は、グローバル構成要素とすることができ、又はチャンバの壁に装着することができる。
・プリントヘッド支持体が移動するというよりはむしろ、プラテンがプリントヘッドアセンブリとプラテンとの間に相対運動を提供するために横方向に移動する間、プリントヘッド支持体は、静止状態を維持することができる。
【００６５】
したがって、他の実施態様が、特許請求の範囲内にある。
【図１Ａ】
2018535310.tif 000003
【図１Ｂ】
2018535310.tif 000004
【図２】
2018535310.tif 000005
【図３】
2018535310.tif 000006
【図４】
2018535310.tif 000007
【図５】
2018535310.tif 000008
【図６】
2018535310.tif 000009
【図７】
2018535310.tif 000010
【国際調査報告】
2018535310.tif 000011
2018535310.tif 000012
2018535310.tif 000013